(57)【要約】  光源の高度な制御を可能にし、光源を用いて情報を送信するために、符号化光が提案されている。他の光源からの干渉に対してロバストである符号化照明システムを操作するように構成される方法、装置及びシステムが提案される。方法は、リモートコントロール装置によって光を感知することに基づき、且つ、感知結果が様々な異なる光源によって使用される識別子を適合することに基づく。光受信器によって受信される光に基づき符号識別子を光源へ割り当てることにより、符号識別子は、光源識別子と干渉する光の影響が軽減され得るように選択され得る。
2013503539.tif 000002
【特許請求の範囲】
【請求項１】
符号化照明システムにおける光源へ符号識別子を割り当てるリモートコントローラであって、
光受信器と、
前記光受信器によって受信される光に基づき前記光源へ符号識別子を割り当てるように構成される処理ユニットであって、前記符号識別子は、符号化光を発するために前記光源によって使用されるべき符号を識別し、且つ前記光の存在下において区別可能である、処理ユニットと、
前記符号識別子を前記光源へ送信するように構成される送信器と、
を含む、リモートコントローラ。
【請求項２】
請求項１に記載のリモートコントローラであって、前記処理ユニットは、前記受信される光と前記符号識別子によって規定される複数の光源識別子との間の相関性に基づき、前記符号識別子を割り当てるように構成される、リモートコントローラ。
【請求項３】
請求項２に記載のリモートコントローラであって、前記符号識別子は、前記複数の光源識別子のうち、前記受信される光との最小の相関性を有する光源識別子に対応する、リモートコントローラ。
【請求項４】
請求項２又は３に記載のリモートコントローラであって、前記処理ユニットは、前記複数の光源識別子のサブセットに関して前記相関性を決定するように構成される、リモートコントローラ。
【請求項５】
請求項２乃至４のいずれか一項に記載のリモートコントローラであって、前記処理ユニットは、前記相関性を決定するためにフィルタバンクを用いるように構成される、リモートコントローラ。
【請求項６】
請求項１乃至５のいずれか一項に記載のリモートコントローラであって、前記受信器は、前記光源から符号化光を受信するように構成され、前記割り当ては、前記受信される符号化光に基づく、リモートコントローラ。
【請求項７】
請求項１乃至６のいずれか一項に記載のリモートコントローラであって、前記受信される光は、少なくとも１つの更なる光源から少なくとも部分的に生じる光を含む、リモートコントローラ。
【請求項８】
請求項７に記載のリモートコントローラであって、前記少なくとも１つの更なる光源は、前記符号化照明システムから除外されている、リモートコントローラ。
【請求項９】
請求項１乃至８のいずれか一項に記載のリモートコントローラであって、前記照明システムは、複数の光源を含み、前記処理ユニットは、前記受信される光に基づき複数の符号識別子を前記複数の光源へ割り当てるように構成され、前記送信器は、前記複数の符号識別子を前記複数の光源へ送信するように構成される、リモートコントローラ。
【請求項１０】
請求項１乃至９のいずれか一項に記載のリモートコントローラであって、前記処理ユニットは、前記受信される光のパワーレベルを推定するように構成され、前記パワーレベルは、前記処理ユニットにおける検出しきい値を設定するために用いられる、リモートコントローラ。
【請求項１１】
請求項１乃至１０のいずれか一項に記載のリモートコントローラであって、前記処理ユニットは、前記受信される光の時間的なプロファイル及びスペクトルプロファイルからなる群からプロファイルを推定するように構成され、前記プロファイルは、前記処理ユニットにおいてフィルタ応答を設定するために用いられる、リモートコントローラ。
【請求項１２】
請求項１乃至１１のいずれか一項に記載のリモートコントローラであって、前記受信器の少なくとも１つの設定は、前記符号識別子に基づく、リモートコントローラ。
【請求項１３】
請求項１乃至１２のいずれか一項に記載のリモートコントローラであって、更に、以前に実行された符号識別子の割り当てに関するデータを記憶するメモリを含み、前記符号識別子は、前記データに基づき割り当てられる、リモートコントローラ。
【請求項１４】
符号化照明システムにおける光源へ符号識別子を割り当てる方法であって、
光を受信するステップと、
前記受信される光に基づき前記光源へ符号識別子を割り当てるステップであって、前記符号識別子は、符号化光を発するために前記光源によって使用されるべき符号を識別し、且つ前記光の存在下において区別可能である、ステップと、
前記符号識別子を前記光源へ送信するステップと、
を含む、方法。
【請求項１５】
リモートコントローラと符号化光を発することを可能にされた光源とを含む符号化照明システムを操作する方法であって、当該方法は、
請求項１４に記載の方法に従い符号識別子を前記光源へ割り当てるステップと、
前記符号に基づき符号化光を前記光源から発するステップと、
を含む、方法。
【発明の詳細な説明】
【技術分野】
【０００１】
本発明は、発光制御システムを操作する方法に関する。具体的には、本発明は、それぞれが符号化光を発することを可能にされる複数の光源を含む発光制御システムを操作する方法及び装置に関する。
【背景技術】
【０００２】
光源の選択及び高度な制御に関して可視光（ＶＬ：visible  light）及び赤外線（ＩＲ：infra-red）を使用することは、以前から提案されており、符号化光(ＣＬ：coded  light)と称され得る。符号化光の送信に関して、発光ダイオードが検討され、ここで発光ダイオードは、妥当な高変調帯域を可能にする。このことは、制御システムの高速な応答を生じさせ得る。また、識別子を他の種類の光源の光（白熱灯、ハロゲン、蛍光灯、高輝度放電（ＨＩＤ）ランプ）に埋め込むことの実現可能性も、示されている。
【０００３】
これらの光源の識別子、すなわち符号は、試運転、光源選択及び相互作用シーン設定などの応用例を可能にする。これらの応用例は、例えば、家庭、オフィス、店舗及び病院における使用を含む。光源の識別子は、それが無ければ非常に複雑になっていたであろう、照明システムの簡単で直感的な制御操作を可能にする。
【０００４】
可視光（ＶＬ）周波数帯域について何の規則も無いので、符号化照明システムを操作する方法及び装置は、概して、特定の干渉光源に対して影響を受ける。赤外線に関しては、例えば、オーディオ及びビデオのリモートコントロール装置に関し主に使用されるなど、干渉から相対的に「クリーン」であることを維持される狭い帯域が存在する。しかし、この帯域は、検討されるシステムに関して十分な光源を収容するのに十分に広くはない。また、これらの赤外線に基づくリモートコントロール装置は、可視化符号化照明システムに関して干渉を生成し得る。したがって、赤外線周波数帯域に関しても、他の光源からの潜在的な干渉が存在する。更に、干渉の供給源は、非常に位置及び時間に依存するものであり得ることを特記される。
【発明の概要】
【発明が解決しようとする課題】
【０００５】
本発明の目的は、この問題を克服すること、並びに、位置及び現在の光干渉における選択性能の依存性を軽減する方法及びシステムのコンセプトを提供すること、である。
【課題を解決するための手段】
【０００６】
概して、上述の目的は、添付の従属項に記載のリモートコントロール装置によって達成される。
【０００７】
第１の態様に従うと、上述の目的は、符号化照明システムにおける光源へ符号識別子を割り当てるリモートコントローラであって、光受信器と、前記光受信器によって受信される光に基づき前記光源へ符号識別子を割り当てるように構成される処理ユニットであって、前記符号識別子は、符号化光を発するために前記光源によって使用されるべき符号を識別し、且つ前記光の存在下において区別可能である、処理ユニットと、前記符号識別子を前記光源へ送信するように構成される送信器と、を含む、リモートコントローラによって、達成される。
【０００８】
このことは、識別子を割り当てる時に、受信される光を考慮に入れるリモートコントローラを提供する。光受信器によって受信される光に基づき符号識別子を光源へ割り当てることにより、符号識別子は、光源識別子と干渉する光の影響が軽減され得るように、選択され得る。これにより、符号化光に関して改善された符号識別子の割り当てが達成され得る。割り当ては、例えば、受信光（干渉を含む）に対してよりロバストである識別子を生じさせ得る。
【０００９】
適用される技術は、リモートコントローラにおいて実施化される必要があるのみである。言い換えると、請求項に記載のリモートコントローラを用いることによって、照明制御システムの残りのコンポーネントは、変更されないままにされ得る。このことは、簡単な実施化を提供する。
【００１０】
提案されるリモートコントローラは、様々な異なる光干渉が発生し得る様々な異なる環境において使用され得る。具体的には、提案されるリモートコントローラは、通常様々な異なる種類の光干渉が存在し得るような、学校、劇場、オフィス、家庭、アウトドア、及びホテルなどの様々な異なる環境において適用され得る。有利には、光源及びリモートコントローラは、ある環境から別の環境へ移動され得、そしてなお正常に機能し得る。
【００１１】
リモートコントローラ及び関連する光源は、符号化照明システムに関して光干渉を生成する未知の他の光源をも取り扱い得る。このような光源が存在する場合、システムは、感知される光に基づき符号識別子を割り当てることにより調整され得る。
【００１２】
リモートコントローラは、エンドユーザの介入無しに、符号識別子を自動的に選択及び割り当てをし得る。このことは、エラーの可能性を低減させ、システムのユーザに対して簡単な解決策を提供する。
【００１３】
前記処理ユニットは、前記受信される光と複数の（事前に規定される）光源識別子との間の相関性に基づき、前記符号識別子を割り当てるように構成され得る。このことは、割り当て工程の簡単な実施化を提供する。
【００１４】
前記符号識別子は、前記複数の光源識別子のうち、前記受信される光との最小の相関性を有する光源識別子に対応し得る。このことは、受信される光に対して最も「直交」である光源識別子が選択され得ることを提供する。
【００１５】
前記処理ユニットは、前記複数の光源識別子のサブセットに関して前記相関性を決定するように構成され得る。したがって、複数の光源識別子のサブのみを用いることにより、計算的複雑性は低減され得る。また、符号識別子選択は、より短時間で達成され得る。
【００１６】
前記処理ユニットは、前記相関性を決定するためにフィルタバンクを用いるように構成され得る。フィルタバンクの使用は、更に、相関性の実施化を簡素化させ得る。例えば、フィルタバンクは、周波数ドメインにおける処理を用いる、フーリエ変換を用いて実施化され得る。
【００１７】
前記受信器は、前記光源から符号化光を受信するように構成され得、前記割り当ては、前記受信される符号化光に基づき得る。このことは、リモートコントローラが、識別子を、符号化光及び符号化されない光の両方を前記符号化されない光が前記符号化光と干渉しないように発する光源へ割り当てるが可能であり得ることを提供する。
【００１８】
前記受信される光は、少なくとも１つの更なる光源から少なくとも部分的に生じる光を含み得る。前記少なくとも１つの更なる光源は、前記符号化される照明システムから除外され得る。このような更なる光源は、いずれかの他の自然光源又は実行光源であり得る。このことは、リモートコントローラが、割り当てにおいて、照明制御システムの一部ではない未知の光源から生じる光を考慮に入れることが可能であり得ることを提供する。
【００１９】
前記照明システムは、複数の光源を含み得、前記処理ユニットは、前記受信される光に基づき複数の符号識別子を前記複数の光源へ割り当てるように構成され得、前記送信器は、前記複数の符号識別子を前記複数の光源へ送信するように構成され得る。このことは、リモートコントローラが、単一の受信された光測定に基づき、複数の符号識別子を同時に割り当てるように構成され得ることを提供する。
【００２０】
前記処理ユニットは、前記受信される光のパワーレベルを推定するように構成され得、前記パワーレベルは、前記処理ユニットにおける検出しきい値を設定するために用いられ得る。前記処理ユニットは、前記受信される光の時間的なプロファイル及びスペクトルプロファイルからなる群からプロファイルを推定するように構成され得る。前記プロファイルは、前記処理ユニットにおいてフィルタ応答を設定するために用いられ得る。前記受信器の少なくとも１つの設定は、前記符号識別子に基づき得る。検出しきい値の設定、フィルタ応答、及び／又は受信器の設定は、処理ユニットがより正確な計算を実行し得るので、処理ユニットによって生成される結果を向上させ得る。このことは、リモートコントローラが、受信される光に基づき設定を適合させ得、これにより、識別子の改善された割り当てを促進させるようにされることを意味する。追加的に、このことは、光源の実際の制御における改善された性能を生じさせ得るが、その理由は、光源のより信頼性のある識別が達成され得るからである。
【００２１】
前記リモートコントローラは、更に、以前に実行された符号識別子の割り当てに関するデータを記憶するメモリを含み得、前記符号識別子は、前記データに基づき割り当てられ得る。したがって、以前の割り当て及びそれらの結果を考慮に入れることにより、リモートコントローラは、割り当て工程を反復的に適用するように構成され得、これにより、識別子の改善を達成し得る。
【００２２】
第２の態様に従うと、上述の目的は、符号化照明システムにおける光源へ符号識別子を割り当てる方法であって、光を受信するステップと、前記受信される光に基づき前記光源へ符号識別子を割り当てるステップであって、前記符号識別子は、符号化光を発するために前記光源によって使用されるべき符号を識別し、且つ前記光の存在下において区別可能である、ステップと、前記符号識別子を前記光源へ送信するステップと、を含む、方法によって達成される。
【００２３】
第３の態様に従うと、上述の目的は、リモートコントローラと符号化光を発することを可能にされた光源とを含む符号化照明システムを操作する方法であって、当該方法は、上述の方法に従い符号識別子を前記光源へ割り当てるステップと、前記符号に基づき符号化光を前記光源から発するステップと、を含む、方法によって達成される。
【００２４】
したがって、符号化光（可視光及び赤外線）に基づく照明制御システムの信頼性及び干渉ロバスト性を向上させる方法は、以下のようなステップ：光干渉を特徴付けるために光を感知するステップ、局所的に経験される干渉に最も反応しない（一群の）光識別子を選択するステップ、及び、光源へこの／これらの識別子を送るステップであって、この場合、次の符号化光送信においてこれ／これらの識別子を適用する、ステップ、を含むように要約され得る。
【００２５】
本発明は、請求項において記載される特徴の全ての可能な組合わせに関することを特記される。
【００２６】
本発明のこれら及び他の態様は、本発明の実施例を示す添付の図面を参照にして、以下により詳細に示され得る。
【図面の簡単な説明】
【００２７】
【図１】図１は、一つの実施例に従う照明システムである。
【図２】図２は、一つの実施例に従う光源である。
【図３】図３は、従来技術に従うリモートコントローラである。
【図４】図４は、一つの実施例に従うリモートコントローラである。
【図５】図５は、実施例に従うフロー図である。
【図６】図６は、実施例に従うフロー図である。
【発明を実施するための形態】
【００２８】
以下の実施例は、この開示が詳細且つ完全であり、当業者へ本発明の範囲を完全に伝達するように、例として提供されている。同様な参照符号は、文書全てを通じて同様な要素を参照する。
【００２９】
図１は、参照符号１０２によって概略的に示される、少なくとも１つの光源を含む照明システム１００を例示する。光源１０２は、照明制御システムの一部であり得る。「光源」という用語は、部屋において、この部屋における対象物を照らす目的のための光を提供するのに使用される装置を意味することを特記されるべきである。このような光提供装置の例は、照明装置及び照明器具を含む。部屋は、この文脈において、通常、アパートメントの部屋若しくはオフィスの部屋、ジムのホール、公共の場における部屋、又は街路の一部などの戸外環境の一部である。各光源１０２は、矢印１０８によって概略的に示されるように、光を発することが可能である。発される光は、光源の識別子を含む符号化光と関連付けられる変調部分を含む。光源識別子は、符号識別子を用いることにより選択される。発される光は、照明寄与分と関連付けられる非変調部分をも含み得る。各光源１０２は、とりわけ、発される光の色、色温度及び強度などの、光源の照明寄与分に関する、ある数の照明設定と関連付けられ得る。一般的な用語において、光源の照明寄与分は、光源１０２によって発される光の時間平均出力として規定され得る。
【００３０】
システム１００は、更に、照明制御システムの一部ではない１つ又はより多くの追加的な光源１０４を含み得る。言い換えると、光源１０４は、照明制御システムから除外されるべきと言われ得る。１つ又はより多くの追加的な光源１０４は、太陽などの、自然起源のものであり得る。代替的に、これらは、照明制御システムの光源１０２と同じ特性を有し得るが、この態様において、外部的として見なされる、すなわち干渉させる光源である。すなわち、光源１０４から発される光は、変調部分と同時に、非変調部分を含み得る。例として、照明制御システムの光源１０２は、パルス幅変調に基づく光源識別子を使用し得、この場合、照明制御システムから除外される光源１０４は、周波数分割変調に基づく光源識別子を使用し得る。光源識別子が異なる様々な変調技術に基づくので、照明制御システムから除外される光源１０４の光源識別子は、このような場合、照明制御システムにおける装置によって検出可能でなくあり得る。したがって、照明制御システムの視点からすると、１つ又はより多くの追加的な光源１０４によって発される光は、照明寄与分のみを含むように見なされる。
【００３１】
システム１００は、更に、光源１０２によって発される光源識別子を含む符号化光及び照明制御システムの外側の光源１０４によって発される光などの光を検出及び受信するための装置１０６、いわゆるリモートコントローラ、を含む。
【００３２】
図１を参照すると、ユーザは、リモートコントローラ１０６を用いて照明制御システムにおける光源１０２を選択及び制御することを望み得る。この目的のために、光源１０２は、可視光１０８を介して固有の識別子を発する。リモートコントローラ１０６は、（指向性光学的）受信器を含み、この受信器は、ポインティングの間において、異なる光源の光寄与分を識別し得、関連する光源１０２を選択し得る。この光源１０２は、この場合、例えば、ZigBee（登録商標）などに基づいた、無線周波数リンク１１０などの、通信リンクを介して制御される。しかし、リモートコントローラ１０６による光源の選択は、他の光源１０４によって（又は光源１０２自体によって）妨害され得る。（外部）光源１０４は、発光ダイオード（ＬＥＤ）、蛍光（ＦＬ）光源、高輝度放電（ＨＩＤ）ランプ、及びモニターなどの二次光源であり得る。代替的に、これらは、太陽、月、又はキャンドルなどの、環境光源であり得る。（外部）光源１０４は、選択性能の深刻な低下を潜在的に生じさせ得る。すなわち、受け入れることが出来ないユーザ体験を生じさせるような、誤った光源１０２が選択され得る。追加的に、光源１０２自体の、照明寄与分などの特性は、選択工程において妨害寄与分を発生させ得る。本発明の目的の１つは、光の（干渉）供給源が存在する場合に、選択工程の依存性を除去することである。
【００３３】
図２は、上述される図１の光源１０２などの、光源２００の内部コンポーネントを概略的に例示する。光源２００は、したがって、照明光と同時に、符号化光を発するように構成され得、この場合、符号化光は、光源２００の光源識別子を含む。光源は、符号化光を発するエミッタ２０２を含む。エミッタ２０２は、１つ又はより多くＬＥＤを含み得るが、１つ又はより多くのＦＬ又はＨＩＤ光源なども同様に含み得る。赤外線の場合、通常、赤外線ＬＥＤが一次光源の近傍に配置され得る。一次光源は、光源の照明機能（すなわち照明光を発することに関すること）と関連付けられ、いずれに光源でもあり得、そして二次光源は、光源識別子（すなわち、符号化光を発することに関すること）と関連付けられる。好ましくは、この二次光源は、ＬＥＤである。光源２００は、更に、修正される光源識別子を光源２００へ割り当てるために、符号識別子などの、情報を受信する受信器２０８を含む。受信器２０８は、符号化光を受信するように構成される受信器であり得る。受信器２０８は、赤外線光を受信する赤外線インターフェイスを含み得る。代替的に、受信器２０８は、無線送信情報を受信する無線受信器であり得る。より代替的には、受信器２０８は、有線によって送信される情報を受信するコネクタを含み得る。有線は、電源ラインケーブルであり得る。有線は、コンピュータケーブルであり得る。光源２００は、更に、処理ユニット２０４又はメモリ２０６などの他のコンポーネントを含み得る。処理ユニット２０４は、中央処理ユニット（ＣＰＵ）を含み得る。特に、処理ユニット２０４は、受信器２０８、メモリ２０６、及びエミッタ２０２へ動作可能に接続され得る。処理ユニット２０４は、受信器２０８から、光源２００へ識別子を割り当てることに関する情報を受信し得る。この情報に基づいて、処理ユニット２０４は、符号化光の符号化を変更し得、これにより、エミッタ２０２によって発される符号化光が識別子を含むようにされる。符号識別子及び符号パラメータなどの、識別子に関する情報は、メモリ２０６に記憶され得る。照明器具（図示されず）は、少なくとも１つの光源２００を含み得、この場合、各光源は、個別の光源識別子を割り当てられ得る。代替的に、照明器具に含まれる全ての光源は、同一の識別子を割り当てられてあり得、したがって、この識別子は、実際にはこの照明器具を識別する。
【００３４】
従来技術に従うリモートコントローラ３００に関する機能的ブロック図が、図3に与えられる。リモートコントローラ３００は、光源１０２・１０４・２００からの光などの、異なる光源からの光を受信し、且つ、この受信された光を電気信号へ変換するように構成されるフォトダイオードを含む。この受信光は、したがって、照明制御システムにおける光源１０２・２００の光源識別子を含み得るが、光源１０４によって発される光などの、他の二次的な光の供給源からの光も含み得る。リモートコントローラ３００は、フィルタリング、増幅、デジタル化、又は同様なことに関する信号調整ブロック３０４を含む。リモートコントローラ３００は、調整された信号を、システムにおける光源へ割り当てられる光源識別子と相関化させる相関化ブロック３０６も含む。光源識別子は、メモリ３０８に記憶される。光源の選択は、この相関化に基づく。処理ブロック３１２は、選択された光源に関する情報を受信するように構成される。処理ブロック３１２は、更に、この情報を、ユーザ入力ユニット３１４からのユーザ入力（例えば、選択されたランプを７０％へ調光するためのコマンドの形態などで）と組み合わせるように構成される。リモートコントローラ３００は、このコマンドを選択された光源へ伝達するための通信インターフェイス３１６を含む。
【００３５】
システムを操作するこの手法において、光源識別子は、光源１０２が照明制御システムに加入する時に、すなわち一度のみ、割り当てられる。より更には、リモートコントローラ３００の特別な実施態様において、例えば、入射光の方向を推定するなどのために、多重の並列光学的受信器（図示されず）が適用され得ることを特記される。全てのこれらの分岐の出力は、この場合、これらの分岐からの信号の組合わせに基づき選択を実行するように構成される後処理ブロック３１０へ供給される。
【００３６】
しかし、リモートコントローラ３００を使用する場合、受信光における光源識別子を識別することは、なお困難であり得る。
【００３７】
本発明の実施例に従うリモートコントローラ４００に関する機能的ブロック図が図４に示される。リモートコントローラ４００は、参照符号４２８により概略的に例示される、リモートコントローラ４００の受信器４３０によって受信される光に基づき光源１０２へ符号識別子を割り当てるように構成される処理ユニットを含む。符号識別子は、光の存在下において識別可能である符号化光を発するために、光源１０２によって使用されるべき符号を識別する。このような割り当てを達成するために、処理ユニット４２８は、ある数の機能性を実行するように構成される。これらの機能性は、複数の機能的ブロックを参照して説明される。
【００３８】
図３のリモートコントローラ３００と同様に、リモートコントローラ４００は、フォトセンサ４０２、信号調整ブロック４０４、相関化ブロック４０６、識別子を含むメモリ４０８、後処理ブロック４１０、処理ブロック４１２、ユーザ入力ユニット４１４、及び通信インターフェイス４１６を含む。
【００３９】
加えて、リモートコントローラ４００は、相関化ブロック４１８、識別子選択ブロック４２０、識別子ブックを含むメモリ４２２、インターフェイス特徴化ブロック４２４、機能的スイッチ４２６、を含み、これらの機能性は、以下に説明される。一般的に、信号調整ブロック４０４、相関化ブロック４０６・４１８、後処理ブロック４１０、処理ブロック４１２、識別子選択ブロック４２０、及びインターフェイス特徴化ブロック４２４の機能性は、処理ユニット４２８によって実行されるように実施化され得る。フォトセンサ４０２及び通信インターフェイス４１６により実行される機能性の一部は、処理ユニット４２８によって実行されるようにも実施化され得る。
【００４０】
リモートコントローラ１０６・４００を用いた図１の照明制御システムの動作は、以下に、図５及び６のフロー図を参照にして説明され得る。リモートコントローラ４００は、ステップ５０２・６０２において、光を受信する。光は、光受信器４３０の一部であるフォトセンサ４０２によって受信され得る。受信光は、この場合、フィルタリング、増幅、デジタル化、又は同様なことのための信号調整ブロック４０４を通過する。光は、１つ又はより多くの光源１０２・１０４から生じ得る。これらの光源の１つ又はより多くは、照明制御システムの一部であり得る。照明制御システムの光源１０２から受信される光は、照明寄与分に加えて、符号化部分を含み得る。照明制御システムの光源１０２に関して、干渉は、照明寄与分を表すが、識別子送信を表さない。例えば、光源１０２の照明寄与分は、光源１０２へ供給される電力の特性によって影響を受け得る。例えば、光源１０２が主電源（図示されず）へ接続される場合、光源１０２によって受信される電力は、電流スパイクなどを含み得る。このような電流スパイクは、発される光の望ましくない特性、フラッシュなど、を生じさせ得る。光源１０２の照明寄与分は、光源１０２自体のハードウェアの特性により影響を受け得る。例えば、不完全性又は不純度は、光源１０２の製造工程において発光器２０２に取り込まれ得る。これら、不完全性又は不純度は、発される光の特性に影響を与え得る。
【００４１】
機能的スイッチ４２６が下側の位置に設定される場合、リモートコントローラは、図３のリモートコントローラ３００の動作と同様な第１の動作モードで動作する。リモートコントローラ４００も、第２の動作モードと関連付けられ、この場合、機能的スイッチ４２６は、上側の位置に設定される。機能的スイッチ４２６の動作は、更には以下において開示され得る。
【００４２】
第２の動作モードにおいて（すなわち、機能的スイッチが上側の位置に設定される場合）、リモートコントローラ４００は、光源がこの光源の光源識別子を送信していない場合、すなわち受信される光が照明寄与分のみだけ含む場合でも、光を受信するように構成される。言い換えると、そのような瞬間に観察される信号は、結果的に、光源識別子の受信に対する干渉として見なされ得る。例えば、割り当て工程において、照明制御システムの光源１０２は全て、符号化光送信において、符号化光を全く発しない、又は完全にスイッチオフにされるべきために、同一の「ダミー符号」を使用するように命令され得る。これにより、（仮に存在する場合）受信される光は、照明制御システムの一部ではない光源１０４から生じることを確実にされる。
【００４３】
受信される信号は、相関化ブロック４１８において、この場合、識別子ブック４２２に記憶される全てのM個の（Mは整数）可能な光源識別子と相関化される。代替的に、照明制御システムにおけるM1個の光源に関してN1（＞M1）個の（ここで、N1及びM1は整数であり、M>N1）識別子が選択され得る。残りのM-N1個の割り当てられていない識別子は、例えば、後の時点で照明制御システムに加わる新しい光源へ、新たな相関化演算を必要とすることなく割り当てられ得る。より代替的には、以下に更に開示されるように、受信される信号は、相関化ブロック４１８において、メモリ４２２に記憶される識別子ブックから光源識別子のサブセットと相関化される。
【００４４】
識別子が周波数分割多重化（ＦＤＭ）変調に基づく場合、受信信号は、全ての可能な変調周波数と相関化され得る。相関化ブロック４１８の機能性が、離散的又は高速フーリエ変換（ＤＦＴ／ＦＦＴ）演算を用いて効率的に実施化され得る。この場合、相関化の出力は、識別子選択ブロック４２０において使用される選択規準に従い、M個の可能な識別子のうちからN2（＜M）個の（ここで、N2は整数である）最も適切な識別子の一群を選択するのに使用され得る。良好な規準は、例えば、参照記号「ｅ」で示される最も低い相関値を有する識別子の選択であり得る。これらの識別子は、このようにして、経験される干渉に最も直交であるように見なされ得、干渉成分の最も高い抑制を生じさせ得る。これにより、N2個の識別子は、同時に選択され得、したがって、複数の光源１０２は識別子を備え得る。
【００４５】
感知工程の複雑性を低減させるために、相関化は、符号ブックにおけるN3（＜M）個の（ここでN3は整数である）識別子の一群を用いて適用もされ得る。周波数分割多重化（ＦＤＭ）の場合に関して、例えば、２つの隣接する周波数のうちから１つのみが、感知に関して適用され得る。この演算は、より低い解像度のＤＦＴを用いて実施化され得る。この場合、１つの識別子に関する感知結果は、識別子及びその隣接する識別子の両方が使用されるべきかを決定するのに使用され得る。
【００４６】
光源識別子が長さに関して可変である場合、代替的な相関化工程が適用され得る。例えば、正規化される相関化工程が適用され得る。正規化される相関化工程によると、相関化出力は、光源識別子の長さによって正規化される。このような工程の有利な点の１つは、必要である場合に、最長の光源識別子のみが選択されることである。代替的に、上述の「通常の」相関化工程が適用される。しかし、「通常の」相関化工程が不均一な長さの光源識別子に適用される場合、通常、最長の光源識別子が選択される。短い光源識別子と比較すると、長い光源識別子は、受信器による識別子の受信の際により長い遅延を生じさせ得る。したがって、しきい値よりわずかに小さいN4（＜M）個の（ここで、N4は整数である）値の一群が選択され得る。しきい値は、このしきい値が照明制御システムの実際の選択又は他の制御において、信頼性のある操作を可能にするように、決定され得る。
【００４７】
上述されるように、受信光は、光源１０２の光源識別子を含み得る。すなわち、割り当て工程（すなわち、機能的スイッチ４２６が上側の位置に設定される場合）は、光源がその識別子を発する場合に、いわゆる「通常の」照明制御システムの動作においても適用可能である。この場合、割り当てられる識別子とのみの代わりに、識別子ブック全体との相関化が適用され得る。識別に関して使用されない識別子は、この場合、干渉の感知に関して使用され得る。
【００４８】
周波数分割多重化（ＦＤＭ）に基づく識別子及び符号分割多重化（ＣＤＭ）に基づく識別子のそれぞれの両方に関して、異なる識別子は、かなり異なるスペクトルを有し得る。これらの識別子とのリモートコントローラ４００における相関化は、これらの識別子に関連されない周波数成分の抑制を生じさせ得る。ＦＤＭの場合に関して、このことは、考慮される周波数の前後における狭帯域フィルタリングと同等である。（例えば、各識別子の基本周波数をを観察するようにのみ構成される）フィルタバンクは、効率的な狭帯域フィルタリングを提供するように実施化され得る。相関化ブロック４１８の出力における信号は、このようにして、検討される識別子に関連する干渉レベルとして見なされ得る。したがって、出力が低いほど、識別子の受信において干渉の影響は低くなり得る。
【００４９】
選択される識別子は、その後、選択された識別子を様々な異なる光源へ割り当てるように構成される処理ブロック４１２へ伝達される。選択された識別子は、符号識別子を用いることによって光源へ割り当てられる。受信光に基づく符号識別子は、受信光が存在している場合においても区別可能である符号化光を発するために、光源１０２によって使用されるべき符号を識別する。符号識別子は、このようにして、受信光（ステップ５０４・６０２）に基づき光源へ割り当てられる。選択される光源識別子は、通常、メモリ４０８に記憶される。メモリ４０８に記憶される識別子は、以下に説明されるように反復工程において更新され得る。
【００５０】
光源識別子を識別する符号は、光源へ送信される（ステップ５０６・ステップ６０２）。選択される符号識別子は、このようにして、光源１０２へ伝達され得、そして、可能であれば、送信器４３２の一部である通信インターフェイス４１６を用いることによって（図示されない）他の制御装置及び感知装置へ、伝達され得る。光源１０２は、この場合、受信される符号識別子（ステップ６０４）に基づき符号化光を発し得る。
【００５１】
また、リモートコントローラ４００の機能的ブロックは、割り当てられた識別子に関する情報を用いて更新され得る。複数の光源のうちのどれが現在使用中であるかを知ることにより、光源識別子の検出の改善が、リモートコントローラ４００において達成され得る。
【００５２】
受信光の電力レベルは、干渉特徴化ブロック４２４によって推定され得る。電力レベルは、後処理ブロック４１０において検出しきい値を設定するのに使用され得る。後処理ブロック４１０は、したがって、そのパラメータの調整に関する情報を処理ブロック４１２を介して受信するように構成され得る。後処理ブロック４１０は、代替的に、図４においてブロック４２４及び４１０間における一点破線によって示される干渉特徴化ブロック４２４から直接この情報を受信するように構成され得る。この電力レベルは、この場合、光源１０２が実際に観察されるかどうか、又は受信光が雑音及び／又は干渉の影響を受けている可能性があるかどうか、を決定するのに使用され得る。また、受信光のスペクトルプロファイルは、干渉特徴化ブロック４２４によって推定され得、そして、例えばフィルタ応答を調節するなどによって、信号調整ブロック４０４の特定のパラメータを調節するために使用され得る。スペクトルプロファイルは、受信光における変調の周波数プロファイルに関連する。したがって、周波数プロファイルは、受信光の時間的プロファイルのフーリエ変換に対応する。信号調整ブロック４０４は、したがって、図４においてブロック４１２及び４０４間における一点破線によって示される処理ブロック４１２からパラメータの調整に関する情報を受信するように構成され得る。
【００５３】
感知工程及び識別子割り当て工程（すなわち、機能的スイッチ４２６が上側の位置に設定される場合）は、リモートコントローラ４００が操作されるたびに、適用され得る。このことは、照明制御システムの応答時間を低減し得る。したがって、他の可能性は、以下の条件：(i)照明制御システムがスイッチオンにされる場合、(ii)定期的スケジュールで（例えば、５分ごとに一度又は１０個の選択ごとに１度など）、(iii)選択が、もはや信頼性のない場合（例えば、誤った光源又は何の光源も全く照明制御システムによって選択されたので、ユーザが、適切な受領応答を受信することなく光源を選択しようと試みることなどによって示される）、又は(iv)新しい光源が照明制御システムに加わる場合、に従い、感知工程及び識別子割り当て工程を実行する（すなわち、機能的スイッチ４２６を上側の位置に設定すること）を含み得る。このようにして、機能的スイッチ４２６は、図４において処理ブロック４１２及び機能的スイッチ４２６間における一点破線によって示されるように、タイミングブロック（図示されず）によって、又は処理ブロック４１２によって、トリガされ得る。
【００５４】
上述の方法（又はその一部）は、ステップ５０８・ステップ６０６において、反復的に適用され得る。例として、当該方法は、当該方法の異なる応用例に関するデータが測定及び記憶される間において、異なる時点で又は照明制御システムの異なる部分において、適用され得る。この場合、測定は組み合わせられ、そして、環境の別の部分において又は同じ環境に関して異なる時点でのいずれかにおいて測定がなされていたので、干渉などの、環境全体における光特性の選りすぐれた特徴化が達成され得る。このようにして、光源識別子は、記憶されるデータに基づき割り当てられ得る。このようにして、識別子のますますより優れた割り当てが達成され得る。リモートコントローラの操作を簡素化させるために、事前の「感知操作」において発見されたN5（＜M）個の（ここで、N5は整数である）最良の識別子に関する相関化が実行され得る。これにより、リモートコントローラの計算的要件は、低減され得る。
【００５５】
当業者は、本発明が、上述される好ましい実施例にいかなるように制限されないことを理解する。対照的に、多数の修正態様及び変更態様が、添付の請求項の範囲において可能である。
【図１】
2013503539.tif 000003
【図２】
2013503539.tif 000004
【図３】
2013503539.tif 000005
【図４】
2013503539.tif 000006
【図５】
2013503539.tif 000007
【図６】
2013503539.tif 000008
【国際調査報告】
2013503539.tif 000009
2013503539.tif 000010
2013503539.tif 000011